(57)【特許請求の範囲】
【請求項１】
狭帯域ワイヤレスネットワークおいて、少なくとも１つの利用可能チャネルに同調するための方法であって、
少なくとも１つの基地局［１０４］により、チャネルリストを、少なくとも１つのモノの狭帯域インターネット（ＮＢ−ＩｏＴ）装置［１０２］に送信することと、ここにおいて、
前記チャネルリストは、前記少なくとも１つの利用可能チャネルを備えており、
各前記少なくとも１つの利用可能チャネルは、固有チャネル識別子を有しており、
前記少なくとも１つのＮＢ−ＩｏＴ装置［１０２］は、少なくとも１つの既存チャネルを介して、前記少なくとも１つの基地局［１０４］にラッチされており、
前記少なくとも１つの（ＮＢ−ＩｏＴ）装置［１０２］により、チャネル要求を、前記少なくとも１つの基地局［１０４］に送信することと、ここにおいて、
前記チャネル要求は、前記ＮＢ−ＩｏＴ装置［１０２］の動作モードを含んでいる少なくとも１つの通信パラメータを備えており、
前記動作モードは、バンド内動作、ガードバンド動作、およびスタンドアロン動作の１つを備えており、
前記少なくとも１つの基地局［１０４］により、前記動作モードが前記バンド内動作の場合は、第１パラメータを定義し、前記動作モードが、前記ガードバンド動作および前記スタンドアロン動作の１つの場合は第２パラメータを定義することと、ここにおいて、
前記第１パラメータは、ＯＦＤＭ開始シンボルおよび第１制御サイズを備えており、
前記第２パラメータは、第２制御サイズを備えており、
前記少なくとも１つの基地局［１０４］により、前記少なくとも１つの通信パラメータ、前記固有チャネル識別子、および前記第１パラメータと前記第２パラメータの１つに基づいて、割り当て方式を決定することと、ここにおいて、
前記割り当て方式は、前記少なくとも１つのＮＢ−ＩｏＴ装置［１０２］に割り当てられている前記少なくとも１つの利用可能チャネルを示しており、
前記少なくとも１つの基地局［１０４］により、前記割り当て方式を、前記少なくとも１つのＮＢ−ＩｏＴ装置［１０２］に送信することと、
前記少なくとも１つのＮＢ−ＩｏＴ装置［１０２］により、前記割り当て方式の復号に従って実行される、前記少なくとも１つの利用可能チャネルに同調することであって、前記同調は、
前記少なくとも１つのＮＢ−ＩｏＴ装置［１０２］によって、２００ＫＨｚのチャネル幅を有する前記少なくとも１つの利用可能なチャネルを有する少なくとも１つの既存のチャネルをアグリゲートする同調、
前記少なくとも１つのＮＢ−ＩｏＴ装置［１０２］によって、前記少なくとも１つの既存のチャネルから４００ＫＨｚのチャネル幅を有する前記少なくとも１つの利用可能なチャネルに切り替える同調、のいずれかを備える同調であること、
を備えていることを特徴とする方法。
【請求項２】
前記少なくとも１つの基地局［１０４］により、前記少なくとも１つの利用可能チャネル間で、データフローを通信で送ることを更に備えていることを特徴とする請求項１に記載の方法。
【請求項３】
前記少なくとも１つの利用可能チャネルおよび前記少なくとも１つの既存チャネルは、ＮＢ−ＩｏＴチャネルであることを特徴とする請求項１に記載の方法。
【請求項４】
前記チャネルリストは、ブロードキャストチャネルおよびユニキャストチャネルの１つを通して送信されることを特徴とする請求項１に記載の方法。
【請求項５】
前記チャネル要求は、前記少なくとも１つのＮＢ−ＩｏＴ装置［１０２］の送信必要条件が、前記少なくとも１つの既存チャネルのチャネル容量を超えている場合に受信されることを特徴とする請求項１に記載の方法。
【請求項６】
前記チャネル要求は、ＲＡＣチャネル、ＮＰＲＡＣＨチャネル、およびＮＡＳレベルチャネルの１つ通して受信されることを特徴とする請求項１に記載の方法。
【請求項７】
前記チャネル要求は、定期的形式、オンデマンド形式、およびオンザフライ形式の１つにおいて、前記少なくとも１つのＮＢ−ＩｏＴ装置［１０２］から受信されることを特徴とする請求項１に記載の方法。
【請求項８】
前記少なくとも１つの通信パラメータは、ビットインディケータ、データステータス、および前記チャネルリストからの、要求されるチャネルの品質と量の少なくとも１つを備えていることを特徴とする請求項１に記載の方法。
【請求項９】
前記第１制御サイズは、ブロードキャストメッセージにより信号で送られることを特徴とする請求項１に記載の方法。
【請求項１０】
前記同調することは、前記少なくとも１つのＮＢ−ＩｏＴ装置［１０２］により、接続要求を、前記少なくとも１つの利用可能チャネルに送信することを備えていることを特徴とする請求項１に記載の方法。
【請求項１１】
狭帯域ワイヤレスネットワークにおいて、少なくとも１つの利用可能チャネルに同調するためのシステムであって、
チャネルリストを、少なくとも１つのモノの狭帯域インターネット（ＮＢ−ＩｏＴ）装置［１０２］に送信するように構成されている少なくとも１つの基地局［１０４］と、ここにおいて、
前記チャネルリストは、前記少なくとも１つの利用可能チャネルを備えており、
各前記少なくとも１つの利用可能チャネルは、固有チャネル識別子を有しており、
前記少なくとも１つのＮＢ−ＩｏＴ装置［１０２］は、少なくとも１つの既存チャネルを介して、前記少なくとも１つの基地局［１０４］にラッチされており、
チャネル要求を、前記少なくとも１つの基地局［１０４］に送信するように構成されている前記少なくとも１つの（ＮＢ−ＩｏＴ）装置［１０２］を備えており、ここにおいて、
前記チャネル要求は、前記ＮＢ−ＩｏＴ装置［１０２］の動作モードを含んでいる少なくとも１つの通信パラメータを備えており、
前記動作モードは、バンド内動作、ガードバンド動作、およびスタンドアロン動作の１つを備えており、
前記少なくとも１つの基地局［１０４］は、
前記動作モードが前記バンド内動作の場合は、第１パラメータを定義し、前記動作モードが、前記ガードバンド動作および前記スタンドアロン動作の１つの場合は、第２パラメータを定義し、ここにおいて、
前記第１パラメータは、ＯＦＤＭ開始シンボルおよび第１制御サイズを備えており、
前記第２パラメータは、第２制御サイズを備えており、
前記少なくとも１つの通信パラメータ、前記固有チャネル識別子、および前記第１パラメータと前記第２パラメータの１つに基づいて、割り当て方式を決定し、ここにおいて、
前記割り当て方式は、前記少なくとも１つのＮＢ−ＩｏＴ装置［１０２］に割り当てられている前記少なくとも１つの利用可能チャネルを示しており、
前記割り当て方式を、前記少なくとも１つのＮＢ−ＩｏＴ装置［１０２］に送信するように更に構成されており、
前記少なくとも１つのＮＢ−ＩｏＴ装置［１０２］は、前記割り当て方式の復号に従って実行される、前記少なくとも１つの利用可能チャネルに同調であって、前記同調は、
前記少なくとも１つのＮＢ−ＩｏＴ装置［１０２］によって、２００ＫＨｚのチャネル幅を有する前記少なくとも１つの利用可能なチャネルを有する少なくとも１つの既存のチャネルをアグリゲートする同調、
前記少なくとも１つのＮＢ−ＩｏＴ装置［１０２］によって、前記少なくとも１つの既存のチャネルから４００ＫＨｚのチャネル幅を有する前記少なくとも１つの利用可能なチャネルに切り替える同調、のいずれかを備える同調であるように更に構成されていることを特徴とするシステム。
【請求項１２】
前記少なくとも１つの基地局［１０４］は、前記少なくとも１つの利用可能チャネル間で、データフローを通信で送るように更に構成されていることを特徴とする請求項１１に記載のシステム。
【請求項１３】
狭帯域ワイヤレスネットワークにおいて、少なくとも１つの利用可能チャネルに同調するための方法であって、前記方法は、少なくとも１つのＮＢ−ＩｏＴ装置［１０２］により実行され、前記方法は、
少なくとも１つの基地局［１０４］からチャネルリストを受信することと、ここにおいて、
前記チャネルリストは、前記少なくとも１つの利用可能チャネルを備えており、
各前記少なくとも１つの利用可能チャネルは、固有チャネル識別子を有しており、
前記少なくとも１つのＮＢ−ＩｏＴ装置［１０２］は、少なくとも１つの既存チャネルを介して、少なくとも１つの基地局［１０４］にラッチされており、
前記少なくとも１つの基地局［１０４］にチャネル要求を送信することであって、前記チャネル要求が、
ＮＢ−ＩｏＴ装置［１０２］の動作モードを含む少なくとも１つの通信パラメータを備えること、
前記動作モードは、バンド内動作、ガードバンド動作、及びスタンドアロン動作のいずれかを備えること、を備えるチャネル要求を送信することと、
前記少なくとも１つの基地局［１０４］から、前記少なくとも１つのＮＢ−ＩｏＴ装置［１０２］に割り当てられた少なくとも１つの利用可能なチャネルを示す割り当て方式を受信することと、
前記固有チャネル識別子、および前記少なくとも１つのＮＢ−ＩｏＴ装置［１０２］の少なくとも１つの通信パラメータに基づいて、前記少なくとも１つの利用可能チャネルに同調することであって、前記同調は、
前記少なくとも１つのＮＢ−ＩｏＴ装置［１０２］によって、２００ＫＨｚのチャネル幅を有する前記少なくとも１つの利用可能なチャネルを有する少なくとも１つの既存のチャネルをアグリゲートする同調、
前記少なくとも１つのＮＢ−ＩｏＴ装置［１０２］によって、前記少なくとも１つの既存のチャネルから４００ＫＨｚのチャネル幅を有する前記少なくとも１つの利用可能なチャネルに切り替える同調、のいずれかを備える同調であることと、
前記同調に基づいて、各前記少なくとも１つの利用可能チャネルに、宛先サーバに導くための情報を含んでいる通知メッセージを送信することを備えていることを特徴とする方法。
【請求項１４】
前記少なくとも１つの同調したチャネルを通して、データを、前記宛先サーバに送信することを更に備えていることを特徴とする請求項１３に記載の方法。
【請求項１５】
前記少なくとも１つの利用可能チャネルのチャネル品質およびタイプを測定することと、
前記測定されたチャネル品質およびタイプを、予め定義されているチャネル値と比較することと、
前記比較に基づいて、前記少なくとも１つの利用可能チャネルに同調することを更に備えていることを特徴とする請求項１３に記載の方法。
【請求項１６】
前記少なくとも１つの利用可能チャネルおよび前記少なくとも１つの既存チャネルは、ＮＢ−ＩｏＴチャネルであることを特徴とする請求項１３に記載の方法。
【請求項１７】
前記チャネルリストは、ブロードキャストチャネルおよびユニキャストチャネルの１つを通して受信されることを特徴とする請求項１３に記載の方法。
【請求項１８】
前記少なくとも１つの通信パラメータは、ビットインディケータ、データステータス、前記チャネルリストからの、要求されるチャネルの品質と量、および、閾値パラメータの少なくとも１つを備えていることを特徴とする請求項１３に記載の方法。
【請求項１９】
狭帯域ワイヤレスネットワークにおいて、少なくとも１つの利用可能チャネルに同調するためのＮＢ−ＩｏＴ装置［１０２］であって、前記ＮＢ−ＩｏＴ装置［１０２］は、
少なくとも１つの基地局［１０４］からチャネルリストを受信し、ここにおいて、
前記チャネルリストは、前記少なくとも１つの利用可能チャネルを備えており、
各前記少なくとも１つの利用可能チャネルは、固有チャネル識別子を有しており、
前記少なくとも１つのＮＢ−ＩｏＴ装置［１０２］は、少なくとも１つの既存チャネルを介して、少なくとも１つの基地局［１０４］にラッチされており、
前記少なくとも１つの基地局［１０４］にチャネル要求を送信することであって、前記チャネル要求が、
ＮＢ−ＩｏＴ装置［１０２］の動作モードを含む少なくとも１つの通信パラメータを備えること、
前記動作モードは、バンド内動作、ガードバンド動作、及びスタンドアロン動作のいずれかを備えること、を備えるチャネル要求を送信し、
前記少なくとも１つの基地局［１０４］から、前記少なくとも１つのＮＢ−ＩｏＴ装置［１０２］に割り当てられた少なくとも１つの利用可能なチャネルを示す割り当て方式を受信し、
前記少なくとも１つの基地局［１０４］から受信した割り当て方式を復号し、
前記固有チャネル識別子、および前記少なくとも１つのＮＢ−ＩｏＴ装置［１０２］の少なくとも１つの通信パラメータに基づいて、前記少なくとも１つの利用可能チャネルに、
前記少なくとも１つのＮＢ−ＩｏＴ装置［１０２］によって、２００ＫＨｚのチャネル幅を有する前記少なくとも１つの利用可能なチャネルを有する少なくとも１つの既存のチャネルをアグリゲートする同調、
前記少なくとも１つのＮＢ−ＩｏＴ装置［１０２］によって、前記少なくとも１つの既存のチャネルから４００ＫＨｚのチャネル幅を有する前記少なくとも１つの利用可能なチャネルに切り替える同調、のいずれかで同調し、
前記同調に基づいて、各前記少なくとも１つの利用可能チャネルに、宛先サーバに導くための情報を含んでいる通知メッセージを送信するように構成されていることを特徴とするＮＢ−ＩｏＴ装置。
【請求項２０】
前記少なくとも１つの同調したチャネルを通して、前記宛先サーバにデータを送信するように更に構成されていることを特徴とする請求項１９に記載のＮＢ−ＩｏＴ装置。
【請求項２１】
前記少なくとも１つの利用可能チャネルのチャネル品質およびタイプを測定し、
前記測定されたチャネル品質およびタイプを、予め定義されているチャネル値と比較し、
前記比較に基づいて、前記少なくとも１つの利用可能チャネルに同調するように更に構成されていることを特徴とする請求項１９に記載のＮＢ−ＩｏＴ装置。
【発明の詳細な説明】
【技術分野】
【０００１】
本開示は全体的には、ワイヤレス通信ネットワークに関し、より具体的には、狭帯域ワイヤレスネットワークにおいて、利用可能チャネルへの同調のためのシステムおよび方法に向けられている。
【背景技術】
【０００２】
モノのインターネット（ＩｏＴ）は、データを接続且つ交換するためにインターネットに接続されている、日常的な物理装置、および／または、演算装置のネットワークと称することができる。ＩｏＴコンセプトの発展と増大する人気により、日常的な物（コーヒーメーカー、洗濯機、ヘッドフォン、電灯、および着用可能装置のような）からスマートデバイス／コンセプト（スマート計量、子供監視など）までの範囲の複数の装置が、潜在的ＩｏＴ装置となった。前記ＩｏＴ装置は、通常は、ＩＰアドレスが提供され、それにより、前記装置は、ＴＣＰ／ＩＰのような標準インターネットプロトコルに従って、ＩＰネットワーク上でデータを転送して、制御信号を受信できる。
【０００３】
更に、Ｎａｒｒｏｗ  Ｂａｎｄ−Ｉｎｔｅｒｎｅｔ  ｏｆ  Ｔｈｉｎｇｓ（ＮＢ−ＩｏＴ）（モノの狭帯域インターネット）は、リリース１３において、３ＧＰＰ（第３世代パートナーシッププロジェクト）により導入されているＬｏｗ  Ｐｏｗｅｒ  Ｗｉｄｅ  Ａｒｅａ  Ｎｅｔｗｏｒｋ（ＬＰＷＡＮ）（低電力ワイドエリアネットワーク）無線技術規格である。このＮＢ−ＩｏＴ技術は、特に、深いカバレッジにおいて、ユーザ装置の消費電力、システム容量、およびスペクトル効率を大幅に向上することにより、セルラー装置とサービスの広い範囲を可能にする。加えて、ＮＢ−ＩｏＴ技術は、ライセンス帯域において実現されてきており、ＬＴＥのライセンス帯域は、この技術を有効に利用するために使用され、技術は、１８０ＫＨｚの最小システム帯域幅、つまり、この技術に割り当てられている１つのＰＲＢ（物理リソースブロック）を利用する。また、前記ＮＢ−ＩｏＴ技術は、低電力ワイドエリア（ＬＰＷＡ）と比較して、より良好な性能を示している。
【０００４】
更に言えば、ＮＢ−ＩｏＴはまた、個々の、および別個のＲａｄｉｏ  Ａｃｃｅｓｓ  Ｔｅｃｈｎｏｌｏｇｙ（ＲＡＴ）（無線アクセス技術）としても考えることができ、ＮＢ−ＩｏＴは、３つの異なるモード、つまり、バンド内、ガードバンド、および「スタンドアロン」のモードで配置できる。バンド内動作においては、ＬＴＥキャリア内に存在するリソースブロックを使用でき、つまり、内部リソースブロックは、ＬＴＥ信号の同期のために割り当てられるので、使用しなくてもよい。ガードバンド動作においては、如何なるオペレータによっても利用されない、ＬＴＥキャリア間のリソースブロックを使用できる。スタンドアロン動作においては、ＧＳＭ（登録商標）周波数、または、使用されていないＬＴＥ帯域を使用できる。更に、リリース１３は、リリース１２におけるバッテリ寿命を保証し、データをより頻繁に受信することが要求される装置に対する、不連続受信（ｅＤＲＸ）（拡張型不連続受信機能）により完了される、ｅＤＲＸおよびパワーセーブモード（ＰＳＭ）のような重要な改良点を備えている。
【０００５】
更に、ＮＢ−ＩｏＴ技術は、延長されたバッテリ寿命、向上されたネットワークカバレッジ、費用対効果の高い装置を提供し、容量の必要条件を満たすために装置の多重化を可能にし、多数の装置をサポートすることにより、重要なＩｏＴの必要条件の幾つかに対処している。従って、ＮＢ−ＩｏＴ技術が広く普及し、水道の計器の読取り、電力消費量、設備管理サービス、家庭および事業用建物に対する火災警報器、人間および物の追跡など、広い範囲の適用をサポートしていることは明白である。前記適用および利点を考慮して、種々の分野／領域における産業は、ＮＢ−ＩｏＴ技術を利用しており、この分野／領域には、下記に制限されないが、スマートシティー、スマートホーム、安全とセキュリティ、農業、健康管理、エネルギおよび物流追跡などがある。前記物流追跡においては、種々の追跡装置を出荷用コンテナに設置でき、それにより多数のセンサデータを送ることができ、そのセンサデータは、出荷場所でのリアルタイムな追跡を確実にするために、更に収集且つ解析される。加えて、出力表示ユニットが警報の受信に使用され、推奨されるサービスで最適化される。
【０００６】
典型的なＮＢ−ＩｏＴの配置においては、ＮＢ−ＩｏＴセルは、ＣＡＴ  ４／３／１セルのような他のカテゴリに対して、２０ｄｂのゲインを有しており、そのため、ＮＢ−ＩｏＴキャリアは、ＣＡＴ  ４／３／１の基地局／チャネルに対して、より広い領域をサポートする。典型的なＮＢ−ＩｏＴシナリオにおいては、同じ基地局は、装置に対してＮＢ−ＩｏＴチャネルを提供する。また、基地局（同じ、または異っている）は、ＮＢ−ＩｏＴおよび他のカテゴリセルカバレッジ領域における違いにより、ＣＡＴ−１、またはＣＡＴ  ３／４動作に対してチャネルを提供する。
【０００７】
接続されている膨大な数のＩｏＴ装置と、ＩｏＴデータを解析する膨大な多様なアプリケーションを考慮すると、限度のあるネットワーク帯域幅は、遅延が進行を抑圧するので、チェーンにおいて弱いリンクになり得るので、帯域幅は、アップリンクと共に、ダウンリンクに対して深刻な懸案事項となった。また、ＩｏＴエコシステム開発においては、ＩｏＴ装置の数の増加に伴う種々の課題があり、その１つは、データのアップロードと管理である。同様に、アップリンクチャネルのためのアップリンク容量を扱うこともまた、従来のＩｏＴエコシステムにおいて大きな懸案事項である。更に、装置の送信必要条件が、既存チャネルのチャネル容量を超える場合は、従来の機構は、ＮＢ−ＩｏＴチャネル／セルと、ＣＡＴ−Ｍ１／１／３／４セルとの間のＣａｒｒｉｅｒ  Ａｇｇｒｅｇａｔｉｏｎ  （ＣＡ）（キャリアアグリゲーション）、および／または、Ｄｕａｌ  Ｃｏｎｎｅｃｔｉｖｉｔｙ（二重接続）のサポートに失敗する。つまり、従来の機構は、要請に基づく更に多くのチャネル数を提供することに失敗する。
【０００８】
従って、チャネルをアグリゲートするための既存ソリューションにおいて固有な前述の問題を克服するために、ＮＢ−ＩｏＴ装置間のキャリアアグリゲーションおよび／または二重接続を容易にするための効率的な機構、および、ＩｏＴ装置からのデータの効率的なアップロードを提供するためのＮＢ−ＩｏＴチャネル／セルに対する必要性が存在する。
【発明の概要】
【０００９】
このセクションは、下記に詳細な記述で更に記述される、本開示のある目的および態様を、簡略化された形状で導入するために提供される。この概要は、請求項に係る主題の重要な特徴または範囲を識別することは意図されていない。
【００１０】
本開示の実施形態は、狭帯域ワイヤレスネットワークおいて、少なくとも１つの利用可能チャネルに同調するための方法に関することができる。方法は、
少なくとも１つの基地局により、チャネルリストを、少なくとも１つのモノの狭帯域インターネット（ＮＢ−ＩｏＴ）装置に送信することと、ここにおいて、
チャネルリストは、少なくとも１つの利用可能チャネルを備えており、
各少なくとも１つの利用可能チャネルは、固有チャネル識別子を有しており、
少なくとも１つのＮＢ−ＩｏＴ装置は、少なくとも１つの既存チャネルを介して、少なくとも１つの基地局にラッチされており、
少なくとも１つの（ＮＢ−ＩｏＴ）装置により、チャネル要求を、少なくとも１つの基地局に送信することと、ここにおいて、
チャネル要求は、ＮＢ−ＩｏＴ装置の動作モードを含んでいる少なくとも１つの通信パラメータを備えており、
動作モードは、バンド内動作、ガードバンド動作、およびスタンドアロン動作の１つを備えており、
少なくとも１つの基地局により、動作モードがバンド内動作の場合は、第１パラメータを定義し、動作モードが、ガードバンド動作およびスタンドアロン動作の１つの場合は、第２パラメータを定義することと、ここにおいて、
第１パラメータは、ＯＦＤＭ（直交周波数分割多重）開始シンボルおよび第１制御サイズを備えており、
第２パラメータは、第２制御サイズを備えており、
少なくとも１つの基地局により、少なくとも１つの通信パラメータ、固有チャネル識別子、および第１パラメータと第２パラメータの１つに基づいて、割り当て方式を決定することと、ここにおいて、
割り当て方式は、少なくとも１つのＮＢ−ＩｏＴ装置に割り当てられている少なくとも１つの利用可能チャネルを示しており、
少なくとも１つの基地局により、割り当て方式を、少なくとも１つのＮＢ−ＩｏＴ装置［１０２］に送信することと、
少なくとも１つのＮＢ−ＩｏＴ装置により、割り当て方式の復号に従って実行される、少なくとも１つの利用可能チャネルに同調することを備えている。
【００１１】
更に、本開示の実施形態は、狭帯域ワイヤレスネットワークにおいて、少なくとも１つの利用可能チャネルに同調するためのシステムを含んでいる。システムは、
チャネルリストを、少なくとも１つのモノの狭帯域インターネット（ＮＢ−ＩｏＴ）装置に送信するように構成されている少なくとも１つの基地局と、ここにおいて、
チャネルリストは、少なくとも１つの利用可能チャネルを備えており、
各少なくとも１つの利用可能チャネルは、固有チャネル識別子を有しており、
少なくとも１つのＮＢ−ＩｏＴ装置は、少なくとも１つの既存チャネルを介して、少なくとも１つの基地局にラッチされており、
チャネル要求を、少なくとも１つの基地局に送信するように構成されている少なくとも１つの（ＮＢ−ＩｏＴ）装置を備えており、ここにおいて、
チャネル要求は、ＮＢ−ＩｏＴ装置の動作モードを含んでいる少なくとも１つの通信パラメータを備えており、
動作モードは、バンド内動作、ガードバンド動作、およびスタンドアロン動作の１つを備えており、
少なくとも１つの基地局は、
動作モードがバンド内動作の場合は、第１パラメータを定義し、動作モードが、ガードバンド動作およびスタンドアロン動作の１つの場合は、第２パラメータを定義し、ここにおいて、
第１パラメータは、ＯＦＤＭ開始シンボルおよび第１制御サイズを備えており、
第２パラメータは、第２制御サイズを備えており、
少なくとも１つの通信パラメータ、固有チャネル識別子、および第１パラメータと第２パラメータの１つに基づいて、割り当て方式を決定し、ここにおいて、
割り当て方式は、少なくとも１つのＮＢ−ＩｏＴ装置に割り当てられている少なくとも１つの利用可能チャネルを示しており、
割り当て方式を、少なくとも１つのＮＢ−ＩｏＴ装置に送信するように更に構成されており、
少なくとも１つのＮＢ−ＩｏＴ装置は、割り当て方式の復号に従って実行される、少なくとも１つの利用可能チャネルに同調するように更に構成されている。
【００１２】
更に、本開示の実施形態は、狭帯域ワイヤレスネットワークにおいて、少なくとも１つの利用可能チャネルに同調するための方法を含んでおり、方法は、少なくとも１つのＮＢ−ＩｏＴ装置により実行される。方法は、
少なくとも１つの基地局からチャネルリストを受信することと、ここにおいて、
チャネルリストは、少なくとも１つの利用可能チャネルを備えており、
各少なくとも１つの利用可能チャネルは、固有チャネル識別子を有しており、
少なくとも１つのＮＢ−ＩｏＴ装置は、少なくとも１つの既存チャネルを介して、少なくとも１つの基地局にラッチされており、
固有チャネル識別子、および少なくとも１つのＮＢ−ＩｏＴ装置の少なくとも１つの通信パラメータに基づいて、少なくとも１つの利用可能チャネルに同調することと、
前記同調に基づいて、各少なくとも１つの利用可能チャネルに、宛先サーバに導くための情報を含んでいる通知メッセージを送信することを備えている。
【００１３】
更に、本開示の実施形態は、狭帯域ワイヤレスネットワークにおいて、少なくとも１つの利用可能チャネルに同調するためのＮＢ−ＩｏＴ装置を含んでいる。ＮＢ−ＩｏＴ装置は、
少なくとも１つの基地局からチャネルリストを受信し、ここにおいて、
チャネルリストは、少なくとも１つの利用可能チャネルを備えており、
各少なくとも１つの利用可能チャネルは、固有チャネル識別子を有しており、
少なくとも１つのＮＢ−ＩｏＴ装置は、少なくとも１つの既存チャネルを介して、少なくとも１つの基地局にラッチされており、
固有チャネル識別子、および少なくとも１つのＮＢ−ＩｏＴ装置の少なくとも１つの通信パラメータに基づいて、少なくとも１つの利用可能チャネルに同調し、
前記同調に基づいて、各少なくとも１つの利用可能チャネルに、宛先サーバに導くための情報を含んでいる通知メッセージを送信するように構成されている。
【００１４】
ここにおいて組み込まれ、この開示の一部を構成している付随する図面は、開示される方法およびシステムの例としての実施形態を示し、類似の参照番号は、異なる図面を通して、同じ部分を指している。図面における構成要素は、必ずしも寸法通りとは限らず、本開示の原理を明確に例示するときは、強調される。幾つかの図面は、構成要素を、ブロック図を使用して示し、各構成要素の内部回路を表現しなくてもよい、当業者には、そのような図面の開示は、そのような構成要素を実現するために通常使用される電気構成要素または回路の開示を含んでいるということは認識されるであろう。
【図面の簡単な説明】
【００１５】
【図１】本開示の実施形態に従う、狭帯域ワイヤレスネットワークにおいて、少なくとも１つの利用可能チャネルに同調するための例としてのシステムアーキテクチャ［１００］を示している。
【図２】本開示の実施形態に従う、狭帯域ワイヤレスネットワークにおいて、少なくとも１つの利用可能チャネルに同調するために、狭帯域ワイヤレスネットワークに配置されている例としての基地局［１０４］を示している。
【図３】本開示の実施形態に従う、チャネル間調整エンティティ［１０８］の例としてのブロック図を示している。
【図４】本開示の実施形態に従う、狭帯域ワイヤレスネットワークにおいて、少なくとも１つの利用可能チャネルに同調するために、狭帯域ワイヤレスネットワークに配置されている例としてのＮＢ−ＩｏＴ装置［１０２］を示している。
【図５】本開示の実施形態に従う、狭帯域ワイヤレスネットワークにおいて、少なくとも１つの利用可能チャネルに同調するための、例としてのアクセスポイント［５００］を示している。
【図６】本開示の実施形態に従う、狭帯域ワイヤレスネットワークにおいて、少なくとも１つの利用可能チャネルに同調するための、例としての方法［６００］を示している。
【図７】本開示の実施形態に従う、狭帯域ワイヤレスネットワークにおいて、少なくとも１つの利用可能チャネルに同調するための、例としての方法［７００］を示しており、この方法は、少なくとも１つのＮＢ−ＩｏＴ装置［１０２］により実行できる。
【図８】ＬＴＥシステムのＣＲＳ（セル特有参照信号）の、４００ＫＨｚ  ＮＢ−ＩｏＴセルをカバーする、Ｎａｒｒｏｗ  Ｂａｎｄ（狭帯域）システムのＮＲＳ（狭帯域参照信号）へのマッピングを例示している。
【発明を実施するための形態】
【００１６】
下記の記述においては、説明を目的として、本開示の実施形態の完全な理解を提供するために、種々の特定の詳細を記述する。しかし、本開示の実施形態は、これらの特定の詳細がなくても実践できるということは明白であろう。これ以降に記述される幾つかの特徴は、それぞれを互いに独立して使用でき、または、他の特徴との任意の組み合わせで使用できる。個々の特徴は、上記に検討した問題の何れにも対処できなくてもよく、または、上記に検討した問題の１つのみに対処できてよい。上記に検討した問題の幾つかは、ここにおいて記述される特徴の何れによっても完全に対処できなくてよい。本開示の例としての実施形態は、類似の参照番号は、異なる図面を通して同じ部分を指している、種々の図面に例示されているように、下記に記述される。
【００１７】
本開示の実施形態は、ＮＢ−ＩｏＴ装置と他の装置との間で、または、ＮＢ−ＩｏＴ装置とネットワークとの間で、ＮＢ−ＩｏＴ装置が、既存のチャネルのチャネル容量と比較して、より多くのデータを送信する必要がある場合に、狭帯域ワイヤレスネットワークにおいて、少なくとも１つの利用可能チャネルに同調するためのシステム及び方法に関することができる。より特別には、システムは、少なくとも１つのＮＢ−ＩｏＴ装置とネットワークエンティティを備えており、ネットワークエンティティは、モビリティ管理エンティティ（ＭＭＥ）、チャネル間調整エンティティ、および少なくとも１つの基地局を備えている。少なくとも１つのＮＢ−ＩｏＴ装置は、少なくとも１つの既存チャネルを介して、少なくとも１つの基地局にラッチされている。少なくとも１つの基地局は、チャネルリスト（少なくとも１つの利用可能チャネルを備えている）を、少なくとも１つのＮＢ−ＩｏＴ装置に送信し、これに応答して、少なくとも１つのＮＢ−ＩｏＴ装置は、狭帯域ワイヤレスネットワークにおいて、少なくとも１つの利用可能チャネルへの同調を可能にするために、チャネル要求（ＮＢ−ＩｏＴ装置の動作モードを含んでいる通信パラメータを備えている）を、少なくとも１つの基地局に送信する。チャネル要求を受信すると、少なくとも１つの基地局は、少なくとも１つのＮＢ−ＩｏＴ装置の前記動作モードに基づいて、第１パラメータまたは第２パラメータを定義する。その後、少なくとも１つの基地局［１０４］は、種々のパラメータに基づいて、割り当て方式（少なくとも１つのＮＢ−ＩｏＴ装置に割り当てられている少なくとも１つの利用可能チャネルを示している）を決定し、その割り当て方式を、少なくとも１つのＮＢ−ＩｏＴ装置に送信する。割り当て方式を受信することに従って、少なくとも１つのＮＢ−ＩｏＴ装置は、狭帯域ワイヤレスネットワークにおいて、少なくとも１つの利用可能チャネルに同調し、前記同調は、少なくとも１つの既存チャネルを、２００ＫＨｚチャネル幅を有する、少なくとも１つの利用可能チャネルにアグリゲートすることに対応し、または、前記同調は、少なくとも１つの既存チャネルから、４００ＫＨｚチャネル幅を有する、少なくとも１つの利用可能チャネルに切り替わることに対応している。
【００１８】
１つの例としての実施形態においては、本開示は、チャネル間キャリアアグリゲーションまたは４００ＫＨｚ動作を含んでいる。例えば、４００ＫＨｚ動作は、少なくとも１つのＮＢ−ＩｏＴ装置の送信要請を満たすために、２つの２００ＫＨｚチャネルをアグリゲートすること、または単一の４００ＫＨｚチャネルを形成することの何れかに対応し、前記４００ＫＨｚチャネルは、システム情報と他のチャネル関連情報を読み込んだ後に、装置により取得される独立チャネルである。
【００１９】
ここにおいて使用されているように、ＮＢ−ＩｏＴ装置は、下記に制限されないが、モバイルフォン、タブレット、ファブレット、ラップトップ、デスクトップコンピュータ、個人情報端末（ＰＤＡ）、メータおよびテレビのような消費者電子装置、および、当業者には明白な任意のそのような装置を含むことができる。
【００２０】
ここにおいて使用されているように、少なくとも１つの基地局（マクロ基地局またはミクロ基地局）は、別個または統合されており、特定のカバレッジ領域のもとで種々の箇所に配置できる複数のセルラーおよびＷｉ−Ｆｉスモールセルを備えることができる。
【００２１】
ここにおいて使用されているように、ＭＭＥはネットワークエンティティに常駐しており、ＮＢ−ＩｏＴ装置から受信する情報を検証するように構成できる。
【００２２】
ここにおいて使用されているように、少なくとも１つの利用可能チャネルおよび少なくとも１つの既存チャネルは、ＮＢ−ＩｏＴチャネルであってよい。ＮＢ−ＩｏＴチャネルは、ＮＢ−ＩｏＴ装置とＮＢ−ＩｏＴ基地局との間で確立されたチャネルと称することができる。
【００２３】
図１は、狭帯域ワイヤレスネットワークにおいて、少なくとも１つの利用可能チャネルに同調するシステムを含んでいる、本開示の例としての実施形態を示している。システム［１００］は、少なくとも１つのＮＢ−ＩｏＴ装置［１０２］と、ＭＭＥ［１０６］、チャネル間調整エンティティ［１０８］、および少なくとも１つの基地局［１０４］を備えているネットワークエンティティ［１１０］を備えることができ、少なくとも１つのＮＢ−ＩｏＴ装置［１０２］は、ネットワークにおいて、少なくとも１つの既存チャネルを介して、少なくとも１つの基地局［１０４］にラッチされ得る。図２に例示されているように、少なくとも１つの基地局［１０４］は、通信モジュール［１０４Ａ］、処理モジュール［１０４Ｂ］、格納ユニット［１０４Ｃ］、セルラースタック［１０４Ｄ］、および、アンテナ［１０８］に接続されているセルラー無線機［１０４Ｅ］を備えることができる。図１と図２に例示されているように、少なくとも１つの基地局［１０４］の通信モジュール［１０４Ａ］は、チャネルリストを、少なくとも１つのＮＢ−ＩｏＴ装置［１０２］に送信するように構成でき、チャネルリストは、それぞれが固有チャネル識別子を有している少なくとも１つの利用可能チャネルを備えており、つまり、前記利用可能チャネルが、少なくとも１つのＮＢ−ＩｏＴ装置［１０２］および少なくとも１つの基地局［１０４］によりサポートされている場合、その時点で利用可能なチャネルを備えている。固有チャネル識別子は、チャネルの周波数、ＮＢ−ＩｏＴ  Ｃｅｌｌ（セル）識別子、周波数範囲、Ｐｈｙｓｉｃａｌ  Ｒｅｓｏｕｃｅ  Ｂｌｏｃｋ（ＰＲＢ）（物理リソースブロック）識別子、および、物理リソースブロック識別子の範囲を含むことができる。１つの実施形態においては、前記チャネルリストは、ブロードキャストチャネルを通して送信でき、つまり、チャネルリストは、少なくとも１つの基地局［１０４］のカバレッジ領域において利用可能なすべてのＮＢ−ＩｏＴ装置に一斉配信でき、一方、他の実施形態においては、前記チャネルリストは、ユニキャストチャネルを通して実現でき、つまり、チャネルリストは、予め構成されている少なくとも１つの通信パラメータに基づいて、特別なＮＢ−ＩｏＴ装置［１０２］に送信できる。チャネルリストは、２００ＫＨｚおよび４００ＫＨｚＮＢ−ＩｏＴ  Ｃｅｌｌ（セル）を備えている。１つの実施形態においては、チャネルリストは、Ｒａｄｉｏ  Ｒｅｓｏｕｒｃｅ  Ｃｏｎｆｉｇｕｒａｔｉｏｎ（ＲＲＣ）（無線リソース構成）メッセージを通して、少なくとも１つのＮＢ−ＩｏＴ装置に送信できる。
【００２４】
更に、少なくとも１つの基地局［１０４］からのチャネルリストを、少なくとも１つの基地局［１０４］の通信モジュール［１０４Ａ］から受信すると、少なくとも１つのＮＢ−ＩｏＴ装置［１０２］は、チャネルリストを読み且つ解析し、少なくとも１つのＮＢ−ＩｏＴ装置［１０２］の送信必要条件が、少なくとも１つの既存チャネルにおけるチャネル容量を超える場合は、チャネル要求を通信モジュール［１０４Ａ］に更に送信するように構成でき、チャネル要求は、少なくとも１つの通信パラメータを備えている。チャネル要求に含まれている少なくとも１つの通信パラメータは、少なくとも１つのＮＢ−ＩｏＴ装置［１０２］の動作モードを含むことができ、前記動作モードは、バンド内動作、ガードバンド動作、およびスタンドアロン動作の１つを備えることができる。加えて、少なくとも１つの通信パラメータは、ビットインディケータ（キャリアアグリゲーションンに対する必要性を示している）、データステータス（チャネルがサポート可能な限度を超えるデータ利用可能性を示している）、およびチャネルリストからの、要求されるチャネル数の品質と量の少なくとも１つを備えている。また、チャネルリストは、定期的形式、オンデマンド（要請に応じて送信する）形式、およびオンザフライ（実行中に送信する）形式の１つにおいて、通信モジュール［１０４Ａ］に送信できる。更に、通信モジュール［１０４Ａ］は、互いに作業するために処理モジュール［１０４Ｂ］に接続でき、少なくとも１つの基地局［１０４］の通信モジュール［１０４Ａ］からチャネル要求を受信できる。
【００２５】
処理モジュール［１０４Ｂ］は、少なくとも１つのＮＢ−ＩｏＴ装置［１０２］の動作モードに基づいて、第１パラメータ（例えば、ＩＮｓｔａｒｔ）および第２パラメータの１つを定義するように構成できる。より特別には、処理モジュール［１０４Ｂ］は、ＮＢ−ＩｏＴ装置の動作モードがバンド内動作である場合は、第１パラメータを定義するように構成でき、一方、ＮＢ−ＩｏＴ装置の動作モードが、ガードバンド動作およびスタンドアロン動作の１つである場合は、第２パラメータを定義できる。第１パラメータは、ＯＦＤＭ開始シンボルおよび第１制御サイズを備え、第２パラメータは第２制御サイズを備えており、第１制御サイズは、ブロードキャストメッセージにより信号で送られる。１つの実施形態においては、前記ブロードキャストメッセージは、狭帯域システム情報ブロック１（ＮＢ−ＳＩＢ１）であってよい。１つの実施形態においては、ＯＦＤＭ開始シンボルは、ＰＤＣＣＨ（物理下りリンク制御チャネル）開始インディケータであってよく、第１制御サイズは、ＳＩＢ／Ｂｒｏａｄｃａｓｔ（ブロードキャスト）メッセージに示されるような、ＰＤＣＣＨ空間であってよい。
【００２６】
その後、処理モジュール［１０４Ｂ］は、少なくとも１つの通信パラメータ、固有チャネル識別子、および、第１パラメータと第２パラメータの１つに基づいて計算されてプロットされる割り当て方式を決定するように構成でき、割り当て方式は、少なくとも１つのＮＢ−ＩｏＴ装置［１０２］に割り当てられている少なくとも１つの利用可能チャネルおよび、新しく割り当てられるチャネルを使用する、つまり、既存チャネルと共に新しく追加されるチャネルか、または、より広いチャネル幅（例えば、４００ＫＨｚ）の新しいチャネルの何れかを使用する、データの通信／送信のための機構を示している。
【００２７】
処理モジュール［１０４Ｂ］は、前記同調を可能にするために、割り当て方式を、少なくとも１つのＮＢ−ＩｏＴ装置［１０２］に送信するように構成できる通信モジュール［１０４Ａ］に、割り当て方式を内部的に通信で送ることができる。１つの実施形態においては、割り当て方式は、ＮＰＤＣＣＨ（狭帯域ＰＤＣＣＨ）チャネルを介して、少なくとも１つのＮＢ−ＩｏＴ装置［１０２］に送信できる。また、ここにおいて使用されているような処理モジュール［１０４Ｂ］は、下記に制限されないが、例えば、マイクロプロセッサ、マルチコアマイクロプロセッサ、デジタル信号プロセッサ、電子回路の集合体、またはそれらの組み合わせのような、動作を実行するように構成されているプロセッサ、またはプロセッサのセットを含むことができる。１つの例としての実施形態においては、少なくとも１つのチャネルは、Ｎａｒｒｏｗｂａｎｄ  Ｐｈｙｓｉｃａｌ  Ｒｅｓｏｕｒｃｅ  Ａｃｃｅｓｓ  Ｃｈａｎｎｅｌ（ＮＰＲＡＣＨ）（狭帯域物理リソースアクセスチャネル）において割り当てることができ、つまり、少なくとも１つのＮＢ−ＩｏＴ装置［１０２］は、ＮＰＲＡＣＨを介してデータを送信するように構成できる。
【００２８】
そして、少なくとも１つのＮＢ−ＩｏＴ装置［１０２］は、割り当て方式を復号し、続いて、少なくとも１つの利用可能チャネルに同調するように構成できる。より特別には、前記同調は、少なくとも１つの既存チャネルを、２００ＫＨｚチャネル幅を有する少なくとも１つの利用可能チャネルとアグリゲートすることに対応でき、または、少なくとも１つの既存チャネルから、４００ＫＨｚチャネル幅を有する少なくとも１つの利用可能チャネルに切り替わることに対応できる。
【００２９】
チャネル間調整エンティティ［１０８］は、少なくとも１つのＮＢ−ＩｏＴ装置［１０２］に対して、少なくとも１つの利用可能チャネル間で、データフローを通信で送るように構成できる。前記チャネル間調整エンティティ［１０８］は、バンド内またはガードバンドＮＢ−ＩｏＴ配置シナリオにおいて、各少なくとも１つの利用可能チャネルに対する負荷情報を更に備えることができる。これは、キャリアアグリゲーションのために、または４００ＫＨｚＮＢ−ＩｏＴチャネルを確立するために公表されるチャネルを決定するときに役に立ち得る。チャネル間調整エンティティ［１０８］は、図３において詳細に説明される。
【００３０】
少なくとも１つのＮＢ−ＩｏＴ装置［１０２］と、少なくとも１つの利用可能チャネルとの間の成功した接続に従って、少なくとも１つのＮＢ−ＩｏＴ装置［１０２］は、要求されたデータを、他のＮＢ−ＩｏＴ装置［１０２］（受信機）およびネットワーク（サーバ）の少なくとも１つに送信することを可能とすることができる。
【００３１】
１つの実施形態において、および実現の観点から、アンカーまたは非アンカーチャネル配置に対して、ＲＲＣシグナリング機構を、同じネットワークにおける２つのＲＲＣエンティティ間を調整するために使用でき、ＲＲＣ構成メッセージを、ＣＡＴ  ４／３／１とＮＢ−ＩｏＴチャネルとの間のキャリアアグリゲーションをサポートするために拡張できる。加えて、少なくとも１つのＮＢ−ＩｏＴ装置［１０２］における少なくとも１つのチャネルは（ＲＲＣシグナリング通信において）、すべてのユニキャスト通信に対して非アンカーキャリアに構成できる。少なくとも１つのＮＢ−ＩｏＴ装置［１０２］は、ブロードキャスト通信のために非アンカーキャリアを使用できる。しかし、非アンカーキャリアが、少なくとも１つのＮＢ−ＩｏＴ装置［１０２］で構成されていない場合は、通信は、アンカーキャリア上で起こり得る。そのような通信に対して有効であり得る種々のアンカーおよび非アンカーキャリアの組み合せがあり得、その幾つかは下記のとおりである。
【００３２】
【表１】
0006982714.tif 000002
【００３３】
ここにおいて、注１は、キャリアとチャネルの両者が、同じＬＴＥセルと関連付けられている場合を示しており、注２は、合計周波数幅が、２０ＭＨｚを超えず、アンカーおよび非アンカーキャリアの両者が同期されている場合を示している。
【００３４】
セルラー無線機［１０４Ｅ］は、通信信号およびデータを受信および送信するためにアンテナ［１０８］に接続でき、セルラー無線機［１０４Ｅ］は、８００ＭＨｚ、９００ＭＨｚ、１，８００ＭＨｚ、２，１００ＭＨｚ、２，３００ＭＨｚなどのような、周波数帯域の広い範囲から選択できる。そして、セルラー無線機［１０４Ｅ］は、セルラースタック［１０４Ｄ］と共に作動するように構成できる。
【００３５】
格納ユニット［１０４Ｃ］は、チャネルリスト、少なくとも１つの通信パラメータ、割り当て方式、および当業者には明白であり得るような他の関連情報を格納且つ維持するように構成できる。格納ユニット［１０４Ｃ］は、下記に制限されないが、揮発性メモリ、不揮発性メモリ、リモートストレージ、クラウドストレージ、高速ランダムアクセスメモリ、および／または、１つ以上の磁気ディスク格納装置、１つ以上の光格納装置、および／または、フラッシュメモリ（例えば、ＮＡＮＤ、ＮＯＲ）またはそれらの組み合わせのような不揮発性メモリを含むことができる。
【００３６】
図３は、本開示の実施形態に従う、チャネル間調整エンティティ［１０８］の例としてのブロック図を示している。チャネル間調整エンティティ［１０８］は、少なくとも１つのＮＢ−ＩｏＴ装置／ＣＡＴ−Ｍ１［１０２］に対して、少なくとも１つの利用可能チャネル間で、データフローを通信で送るように構成できる。また、チャネル間調整エンティティ［１０８］は、局所調整、つまり、チャネル間のＲＲＣ間通信チャネル（ＲＲＣ）を確立するように構成できる。更に、チャネル間調整エンティティ［１０８］は、ネットワークエンド、つまり、ネットワークエンティティ［１１０］に常駐している。
【００３７】
図４は、本開示の実施形態に従う、狭帯域ワイヤレスネットワークにおいて、少なくとも１つの利用可能チャネルに同調するために、狭帯域ワイヤレスネットワークに配置される、例としてのＮＢ−ＩｏＴ装置［１０２］を示している。少なくとも１つのＮＢ−ＩｏＴ装置［１０２］は、アンテナ［４１２］と接続されているＮＢ−ＩｏＴ  Ｒａｄｉｏ  Ｉｎｔｅｒｆａｃｅ（無線インタフェース）［４０２］、ＩｏＴアプリケーションモジュール［４０４］、車上クライアントモジュール［４０６］、メモリ［４０８］、および処理ユニット［４１０］を備えることができる。ＩｏＴアプリケーションモジュール［４０４］は、複数のハードウェアおよびソフトウェア構成要素の組み合わせにおいて、ＩｏＴ機能を実現し、更に、ＮＢ−ＩｏＴ無線インタフェース［４０２］を介して、所望のＩＰネットワーク上で更に通信するように構成できる。車上クライアントモジュール［４０６］は、装置特有の車上機能を管理しながら、ＮＢ−ＩｏＴ無線インタフェース［４０２］を介して車上サーバと通信するように構成できる。
【００３８】
より特別には、および前記図４において例示されているように、少なくとも１つのＮＢ−ＩｏＴ装置［１０２］のＩｏＴアプリケーションモジュール［４０４］は、少なくとも１つの基地局［１０４］からチャネルリストを受信するように構成でき、チャネルリストは、少なくとも１つの利用可能チャネルを備えており、各少なくとも１つの利用可能チャネルは、固有チャネル識別子を有している。更に、処理ユニット［４１０］は、固有チャネル識別子と、少なくとも１つのＮＢ−ＩｏＴ装置［１０２］の少なくとも１つの通信パラメータに基づいて、少なくとも１つの利用可能チャネルに同調するように構成できる。続いて、車上クライアントモジュール［４０６］は、前記同調に基づいて、各少なくとも１つの利用可能チャネルに通知メッセージを送信するように構成でき、通信メッセージは、宛先サーバに導くための情報を含んでいる。１つの実施形態においては、少なくとも１つのＮＢ−ＩｏＴ装置［１０２］は、少なくとも１つの利用可能チャネルのチャネル品質およびタイプを測定し、続いて、測定されたチャネル品質およびタイプを、予め定義されているチャネル値と比較するように構成できる。前記比較に基づいて、少なくとも１つのＮＢ−ＩｏＴ装置［１０２］は、少なくとも１つの利用可能チャネルに同調できる。最後に、少なくとも１つのＮＢ−ＩｏＴ装置［１０２］は、少なくとも１つの同調したチャネルを通して、データを、宛先サーバに送信するように構成できる。更に、ＩｏＴアプリケーションモジュール［４０４］および車上クライアントモジュール［４０６］は、チャネルリスト、チャネル要求、および当業者には明白であり得るような任意のそのような情報を格納するために、メモリ［４０８］と相互作用するように構成できる。更に、アンテナ［４１２］と接続されているＮＢ−ＩｏＴ無線インタフェース［４０２］、ＩｏＴアプリケーションモジュール［４０４］、車上クライアントモジュール［４０６］、およびメモリ［４０８］は、所望の機能を実行するために、処理ユニット［４１０］と通信するように構成できる。
【００３９】
測定されたチャネル品質およびタイプを、セルの予め定義されているチャネル値と比較する、１つの例としての実施形態においては、予め定義されている値は、Ｓｅｌｅｃｔｉｏｎ  Ｃｒｉｔｅｒｉａ（Ｓ−ｃｒｉｔｅｒｉａ）（選択基準）に従って、狭帯域システム情報ブロック（ＳＩＢ−ＮＢ）により定義でき、前記選択基準は、種々のシナリオを定義する。１つのシナリオにおいては、両方の値が前記予め定義されている値を超える場合は、少なくとも１つのＮＢ−ＩｏＴ装置［１０２］は、そのセルのカバレッジにあると考えることができ、一方、他のシナリオにおいては、少なくとも１つのＮＢ−ＩｏＴ装置［１０２］が１つのセルのカバレッジにあるときは、その少なくとも１つのＮＢ−ＩｏＴ装置［１０２］は、前記セル上に留まることができる。他のシナリオにおいては、少なくとも１つのＮＢ−ＩｏＴ装置［１０２］は、測定されたチャネル品質およびタイプに基づいて、セル再選択を開始でき、少なくとも１つのＮＢ−ＩｏＴ装置［１０２］は、前記チャネル品質を、周波数内および周波数間の場合で異なり得る、新しい再選択用の予め定義されている値と更に比較できる。１つの実施形態においては、少なくとも１つのＮＢ−ＩｏＴ装置［１０２］は、選択基準を満たすために、セルに優先順位を付け、他の予め定義されている値を超える分に相当するチャネル品質に基づいて、各セルをランク付けすることができる。そのような優先順位付けにおいては、複数のセルの再選択を回避し、周波数内の場合に対するセル特有オフセットを適用するために、ヒステリシスを追加できる。しかし、ＬＴＥチャネルの場合は、異なる周波数に対して優先順位を定義することはできない。そして、少なくとも１つのＮＢ−ＩｏＴ装置［１０２］は、ランクが最も高いセルを選択できる。４００ＫＨｚ動作を可能にする他の実施形態においては、少なくとも１つのＮＢ−ＩｏＴ装置［１０２］は、選択基準を測定した後に決定されたものとして、セルランクの報告を送信できる。ＮＢ−ＩｏＴ装置は、アップリンク制御チャネルにおいて、少なくとも１つの基地局［１０４］の測定報告メッセージにおける選択基準と共に、ランクを使用でき（ＮＰＵＳＣＨ（狭帯域物理上りリンク供用チャネル）メッセージ）、それに基づいて、少なくとも１つの基地局［１０４］は、所与の少なくとも１つのＮＢ−ＩｏＴ装置［１０２］に対して、何れのチャネルをアグリゲートできるかを決定できる。
【００４０】
図５は、本開示の実施形態に従う、狭帯域ワイヤレスネットワークにおいて、少なくとも１つの利用可能チャネルに同調するための、例としてのアクセスポイント［５００］を示している。アクセスポイント［５００］は、ＮＢ−ＩｏＴ無線インタフェース［５０２］、アクセスポイントアプリケーションモジュール［５０４］、処理ユニット［５０６］、通信インタフェース［５０８］、メモリ［５１０］、およびアンテナ［５１２］を備えている。
【００４１】
ＮＢ−ＩｏＴ無線インタフェース［５０２］は、１つ以上の３ＧＰＰ  ＮＢ−ＩｏＴプロトコルに従って、ワイヤレスアクセスを、少なくとも１つのＮＢ−ＩｏＴ［１０２］に提供するために、アクセスポイント［５００］のアンテナ［５１２］と連携して動作するように構成できる。アクセスポイントアプリケーションモジュール［５０４］は、各ＮＢ−ＩｏＴワイヤレスアクセスポイントを管理および提供するように構成できる。処理ユニット［５０６］は、アクセスポイント［５００］の各モジュール／構成要素により実行される機能／動作を実行するように構成できる。ここにおいて使用されているような処理ユニット［５０６］は、下記に制限されないが、マイクロプロセッサ、マルチコアマイクロプロセッサ、デジタル信号プロセッサ、電子回路の集合体、またはそれらの組み合わせのようなプロセッサまたはプロセッサのセットを含むことができ、ここにおいて記述されているような動作／機能を実行するように構成できる。処理ユニット［５０６］に結合されているメモリ［５１０］は、処理ユニット［５０６］が、メモリ［５１０］におけるデータを読み、書き、修正し、削除および／または修正するような動作を実行することを可能にできる。メモリ［５１０］は、下記に制限されないが、揮発性メモリ、不揮発性メモリ、リモートストレージ、クラウドストレージ、高速ランダムアクセスメモリ、および／または、１つ以上の磁気ディスク格納装置、１つ以上の光格納装置、および／または、フラッシュメモリ（例えば、ＮＡＮＤ、ＮＯＲ）またはそれらの組み合わせのような不揮発性メモリを含むことができる。通信インタフェース［５０８］は、バックホールに対して、および、更には、情報交換のために車上サーバと連絡するように構成できる。
【００４２】
そのため、システム［１００］は、少なくとも１つのＮＢ−ＩｏＴ装置［１０２］、ＭＭＥ［１０６］、チャネル間調整エンティティ［１０８］、少なくとも１つの基地局［１０４］、および、下記に制限されないが、通信モジュール［１０４Ａ］、処理モジュール［１０４Ｂ］、格納ユニット［１０４Ｃ］、セルラースタック［１０４Ｄ］、およびアンテナ［１０８］に接続されているセルラー無線機［１０４Ｅ］を含む、関連付けられている構成要素のような多数の構成要素を含むことができる。前記構成要素は、複数の相互関係のある機能を実行するために、互いにリンクさせることができ、狭帯域ワイヤレスネットワークにおいて、少なくとも１つの利用可能チャネルに同調する目的を達成できる。
【００４３】
図６に例示されているように、本開示は、本開示の実施形態に従う、狭帯域ワイヤレスネットワークにおいて、少なくとも１つの利用可能チャネルに同調するための、例としての方法［６００］を含んでいる。方法フロー［６００］は、少なくとも１つのＮＢ−ＩｏＴ装置［１０２］を、ネットワークにおける少なくとも１つの既存チャネルを介して、少なくとも１つの基地局［１０４］にラッチできるステップ６０２において開始できる。
【００４４】
ステップ６０４において、少なくとも１つの基地局［１０４］の通信モジュール［１０４Ａ］は、チャネルリストを、少なくとも１つのＮＢ−ＩｏＴ装置［１０２］に送信するように構成でき、チャネルリストは、それぞれが固有チャネル識別子を有している、少なくとも１つの利用可能チャネルを備えている。１つの実施形態においては、前記チャネルリストは、少なくとも１つの基地局［１０４］のカバレッジ領域において利用可能なすべてのＮＢ−ＩｏＴ装置に一斉配信でき、他の実施形態においては、前記チャネルリストは、予め構成された少なくとも１つの通信パラメータに基づいて、特別なＮＢ−ＩｏＴ装置に送信できる。チャネルリストを受信すると、少なくとも１つのＮＢ−ＩｏＴ装置［１０２］は、チャネルリストを読むこと、および解析することができる。少なくとも１つのＮＢ−ＩｏＴ装置［１０２］の送信必要条件が、少なくとも１つの既存チャネルのチャネル容量を超える場合は、方法［６００］は、ステップ６０６に進むことができる。または、方法［６００］は、ステップ６１６で終了する。
【００４５】
ステップ６０６において、少なくとも１つのＮＢ−ＩｏＴ装置［１０２］の送信必要条件が、少なくとも１つの既存チャネルのチャネル容量を超える場合は、少なくとも１つのＮＢ−ＩｏＴ装置［１０２］は、ＲＡＣ（ランダムアクセス）チャネル、ＮＰＲＡＣＨチャネル、ＮＰＵＳＣＨチャネル、およびＮＡＳ（ノンアクセスストラタム）レベルチャネルの１つを通して、通信モジュール［１０４Ａ］にチャネル要求を送信でき、チャネル要求は、少なくとも１つの通信パラメータを備えている。少なくとも１つの通信パラメータは、少なくとも１つのＮＢ−ＩｏＴ装置［１０２］の動作モードを含んでおり、前記動作モードは、バンド内動作、ガードバンド動作、およびスタンドアロン動作の１つを備えている。加えて、少なくとも１つの通信パラメータは、インディケータ、データステータス、およびチャネルリストからの、要求されるチャネル数の品質と量の少なくとも１つを備えている。また、チャネル要求は、定期的形式、オンデマンド形式、およびオンザフライ形式の１つにおいて送信できる。
【００４６】
ステップ６０８において、処理モジュール［１０４Ｂ］は、少なくとも１つのＮＢ−ＩｏＴ装置［１０２］の動作モードに基づいて、第１パラメータと第２パラメータの１つを定義するように構成できる。より特別には、第１パラメータは、動作モードがバンド内動作の場合に定義でき、第２パラメータは、動作モードが、ガードバンド動作およびスタンドアロン動作の１つの場合に定義できる。
【００４７】
ステップ６１０において、処理モジュール［１０４Ｂ］は、少なくとも１つの通信パラメータ、固有チャネル識別子、および第１パラメータと第２パラメータの１つに基づいて、割り当て方式を決定するように構成でき、割り当て方式は、少なくとも１つのＮＢ−ＩｏＴ装置［１０２］に割り当てられている少なくとも１つの利用可能チャネルと、新しく割り当てられたチャネル、つまり、既存チャネルと共に、新しく追加されたチャネル、またはより広いチャネル幅（例えば、４００ＫＨｚ）の新しいチャネルの何れかを使用して、データを通信／送信するための機構を示している。
【００４８】
ステップ６１２において、処理ユニット［１０４Ｂ］は、前記同調を可能にするために、少なくとも１つのＮＢ−ＩｏＴ装置［１０２］に割り当て方式を送信するように構成できる通信モジュール［１０４Ａ］に、割り当て方式を内部的に通信で送ることができる。１つの実施形態においては、割り当て方式は、ＮＰＤＣＣＨチャネルを介して、少なくとも１つのＮＢ−ＩｏＴ装置［１０２］に送信できる。
【００４９】
ステップ６１４において、少なくとも１つのＮＢ−ＩｏＴ装置［１０２］は、割り当て方式を復号して、続いて、少なくとも１つの利用可能チャネルに同調するように構成できる。より特別には、前記同調は、少なくとも１つの既存チャネルを、２００ＫＨｚチャネル幅を有する少なくとも１つの利用可能チャネルにアグリゲートすること、または、少なくとも１つの既存チャネルから、４００ＫＨｚチャネル幅を有する少なくとも１つの利用可能チャネルに切り替わることの何れかに対応することができる。
【００５０】
図７は、本開示の実施形態に従う、狭帯域ワイヤレスネットワークにおいて、少なくとも１つの利用可能チャネルに同調するための、例としての方法［７００］を示しており、方法［７００］は、少なくとも１つのＮＢ−ＩｏＴ装置［１０２］により実行できる。方法［７００］は、少なくとも１つのＮＢ−ＩｏＴ装置［１０２］を、ネットワークにおける少なくとも１つの既存チャネルを介して、少なくとも１つの基地局［１０４］にラッチできるステップ７０２において開始できる。
【００５１】
ステップ７０４において、少なくとも１つのＮＢ−ＩｏＴ装置［１０２］のＩｏＴアプリケーションモジュール［４０４］は、少なくとも１つの基地局［１０４］からチャネルリストを受信でき、チャネルリストは、少なくとも１つの利用可能チャネルを備え、各少なくとも１つの利用可能チャネルは、固有チャネル識別子を有している。更に、ＩｏＴアプリケーションモジュール［４０４］はチャネルリストを、ＩｏＴアプリケーションモジュール［４０４］に転送できる。
【００５２】
ステップ７０６において、処理ユニット［４１０］は、固有チャネル識別子、および、少なくとも１つのＮＢ−ＩｏＴ装置［１０２］の少なくとも１つの通信パラメータに基づいて、少なくとも１つの利用可能チャネルに同調できる。前記同調に関連する情報は、少なくとも１つのＮＢ−ＩｏＴ装置［１０２］の車上クライアントモジュール［４０６］に通信で送ることができる。
【００５３】
ステップ７０８において、車上クライアントモジュール［４０６］は、前記同調に基づいて、通知メッセージを各少なくとも１つの利用可能チャネルに送信でき、通知メッセージは、宛先サーバに導くための情報を含んでいる。
【００５４】
ステップ７１０において、少なくとも１つのＮＢ−ＩｏＴ装置［１０２］は、少なくとも１つの同調したチャネルを通して、宛先サーバにデータを送信するように構成できる。方法［７００］はステップ７１２で終了する。
【００５５】
図８において例示されているように、１つの実施形態においては、ＬＴＥシステムのＣＲＳ（セル特有参照信号）を、狭帯域システムのＮＲＳ（狭帯域参照信号）にマップして、４００ＫＨｚＮＢ−ＩｏＴセルをカバーする機構を開示でき、ＮＰＤＣＣＨチャネル（バンド内動作に対してであり、ＬＴＥセルにおける単一の信号アンテナポートと、ＮＢ−ＩｏＴにおける２つのアンテナポートを仮定している）のサブフレームを、ＬＴＥ  ＣＲＳ（Ｃｅｌｌ  Ｓｐｅｃｉｆｉｃ  Ｒｅｆｅｒｅｎｃｅ  Ｓｉｇｎａｌ（セル特有参照信号））チャネルおよびＮＲＳ（Ｎａｒｒｏｗｂａｎｄ  Ｒｅｆｅｒｅｎｃｅ  Ｓｉｇｎａｌ（狭帯域参照信号））チャネルのＳｕｂ  Ｆｒａｍｅ（ＳＦ）（サブフレーム）にマップできる。１つの例としての実施形態においては、前記チャネルのリソース要素は、簡略化マッピングに対しては異なってもよく、例えば、ＮＰＤＣＣＨにより使用されるリソース要素は緑色であってよく、ＬＴＥ  ＣＲＳに対しては青紫色、ＮＲＳに対しては青色であってよい。ＮＲＳ（青）とＬＴＥ  ＣＲＳ（青紫）の周囲における、緑色のリソース要素（ＮＰＤＣＣＨ）のスムーズなマッピングのために、ＬＴＥ制御チャネルとの競合は、ＯＦＤＭ開始シンボルを示すために、バンド内動作に対して、パラメータＩＮｓｔａｒｔおよび狭帯域システム情報ブロック１（ＮＢ−ＳＩＢ）により信号で送られる制御領域サイズを定義し、他方、ガードバンドおよびスタンドアロン動作モードに対しては、前記パラメータをデフォルト（ゼロ値）に設定し、それにより、ＮＰＤＣＣＨに対して、より多くのリソース要素を提供することにより回避できる。例えば、各ＳＦに対して、２つの狭帯域制御チャネル要素（ＮＣＣＥ）、つまり、ＮＣＣＥ０およびＮＣＣＥ１を、何れの色（例えば、緑色）において定義でき、下記のフォーマットを有する２つのＮＰＤＣＣＨチャネルを、ＮＣＣＥ０およびＮＣＣＥ１を使用するために定義できる。
１．１つのＮＣＣＥ要素を使用するＮＰＤＣＣＨフォーマット０で、ＮＣＣＥ０およびＮＣＣＥ１の両者は、単一ＳＦ内において送信でき、および
２．ＮＣＣＥ０およびＮＣＣＥ１の両者を使用するＮＰＤＣＣＨフォーマット１
【００５６】
更に、４００ＫＨｚＮＢ−ＩｏＴチャネルに対しては、１つの実施形態においては、ＰＤＣＣＨの場所を予め定義でき、ＮＢ−ＳＩＢ１において公開でき、一方、他の実施形態においては、リソースグリッドにおけるＰＤＣＣＨの場所は、第１または第２の２００ＫＨｚリソース要素のみにおいて提供できるだけであり、ＰＤＣＣＨ自身は、ＮＢ−ＩｏＴ装置に対するアップリンクデータ送信のためのＰＵＳＣＨの場所を示す（４００ＫＨｚチャネルの何れにおいても）。
【００５７】
そのため、本開示は、ＮＢ−ＩｏＴ装置［１０２］が、ＮＢ−ＩｏＴ装置と他の装置との間で、または、ＮＢ−ＩｏＴ装置［１０２］とネットワークとの間で、既存チャネルのチャネル容量と比較して、より多くのデータを送信することが要求された場合に、狭帯域ワイヤレスネットワークにおいて、少なくとも１つの利用可能チャネルに同調するための機構を備えている。実施形態の１つにおいては、基地局［１０４］は、利用可能チャネルをＮＢ−ＩｏＴ装置［１０２］に割り当て、ＮＢ−ＩｏＴ装置［１０２］が、利用可能チャネルに同調することを可能にするために、ＮＢ−ＩｏＴ装置［１０２］と協調し、一方、他の実施形態においては、ＮＢ−ＩｏＴ装置［１０２］自身が利用可能チャネルに同調する。加えて、利用可能チャネルの、既存チャネルへの前記アグリゲーションは、ＮＢ−ＩｏＴ装置［１０２］からの、より高いデータレートでの、データのより効率的なアップロードという結果になる。
【００５８】
少なくとも１つのＮＢ−ＩｏＴ装置［１０２］、ネットワークエンティティ［１１０］、少なくとも１つの基地局［１０４］、およびそれらの中の構成要素／サブシステムの制限のある数が図において示されてきたが、しかし、当業者は、本開示のシステム［１００］は、如何なる数の前記エンティティ／要素、および変形されたタイプの前記エンティティ／要素、つまり、少なくとも１つのＮＢ−ＩｏＴ装置［１０２］、ネットワークエンティティ［１１０］、少なくとも１つの基地局［１０４］、およびそれらの中の構成要素／サブシステムを含んでいるということを認識するであろう。
【００５９】
ここにおいては、開示された実施形態に対して相当な重点が置かれたが、多数の実施形態を行うことができ、本開示の原則から逸脱することなく、実施形態に対して多くの変更を加えることができるということは認識されるであろう。本開示の実施形態におけるこれらの、および他の変更は、当業者には明らかであり、それにより、実現されるべき前述の記述事項は例示的であり、非制限的であるということは理解されるべきである。
【図１】
0006982714.tif 000003
【図２】
0006982714.tif 000004
【図３】
0006982714.tif 000005
【図４】
0006982714.tif 000006
【図５】
0006982714.tif 000007
【図６】
0006982714.tif 000008
【図７】
0006982714.tif 000009
【図８】
0006982714.tif 000010